(57)【要約】【課題】体形の異なる個々の着装者に対して、違和感を生じさせず、また、吸収性能も維持しながら、微妙なサイズ調節をすることが可能なパンツ型吸収性物品を提供する。【解決手段】表面シート（２）と吸収体（４）と裏面シート（６）とを具備し、前身頃（５）の左右両側縁と後身頃（６）の左右両側縁とをそれぞれ接合して左右一対のサイド接合部（８）がパンツ本体両側部に形成されてなるパンツ型吸収性物品（１）であって、前記サイド接合部（８）において、パンツ本体内側にループ形状を形成したループ部材（１６）の両端とパンツ本体とを接合する第一シール（３１）と、パンツ本体の側縁同士を接合する第二シール（３２）が存在し、第二シール（３２）は第一シール（３１）の外側に配置されているパンツ型吸収性物品（１）。【選択図】図１
2008289611.tif 000002
【特許請求の範囲】
【請求項１】
表面シートと吸収体と裏面シートとを具備し、前身頃の左右両側縁と後身頃の左右両側縁とをそれぞれ接合して左右一対のサイド接合部がパンツ本体両側部に形成されてなるパンツ型吸収性物品であって、前記サイド接合部において、パンツ本体内側にループ形状を形成したループ部材の両端とパンツ本体とを接合する第一シールと、パンツ本体の側縁同士を接合する第二シールが存在し、前記第二シールは前記第一シールの外側に配置されていることを特徴とするパンツ型吸収性物品。
【請求項２】
前記第一シールのシール強度が前記第二シールのシール強度よりも高いことを特徴とする請求項１記載のパンツ型吸収性物品。
【請求項３】
ループ部材同士を接着する第三シールが設けられ、第三シールのシール強度が第二シールのシール強度よりも低いことを特徴とする請求項１または２記載のパンツ型吸収性物品。
【請求項４】
前身頃および後身頃のサイドシール部の少なくとも第一シール位置が、粘着材により内層不織布と外層不織布が接合されていることを特徴とする請求項１〜３のいずれか１項に記載のパンツ型吸収性物品。
【請求項５】
前記ループ部材が引張強度３Ｎ／ｃｍ以上の不織布を用いてなることを特徴とする請求項１〜４のいずれか１項に記載のパンツ型吸収性物品。
【請求項６】
前記ループ部材が伸縮材を用いてなることを特徴とする請求項１〜５のいずれか１項に記載のパンツ型吸収性物品。
【請求項７】
使い捨てパンツ型おむつであることを特徴とする請求項１〜６のいずれか１項に記載のパンツ型吸収性物品。
【請求項８】
ショーツ型ナプキンであることを特徴とする請求項１〜６のいずれか１項に記載のパンツ型吸収性物品。
【発明の詳細な説明】
【技術分野】
【０００１】
本発明はパンツ型吸収性物品に関し、特に、本発明は、微妙なサイズ調整が可能なパンツ型吸収性物品に関する。
【背景技術】
【０００２】
従来、パンツ型の使い捨ておむつとしては、液透過性の表面シートと液保持性の吸収体と液不透過性の裏面シートとを具備し、前身頃の左右両側縁と後身頃の左右両側縁とを接合固定してなるものが汎用されている。
【０００３】
パンツ型おむつは、一般的に、乳幼児用であっても、大人用であっても、着用者の体格に合わせ、いくつかのサイズが用意されている。しかし、複数の異なるサイズのおむつがあったとしても、すべての着用者にフィットするとは限らない。それは、例えば、ウエスト周りが平均より細い場合や、太股周りが平均より細い場合などがあるからである。
【０００４】
これに対して、特許文献１には、サイドパネルと前後本体端部の固定部のうち少なくとも一方が、幅方向に少なくとも２ヶ所の固定箇所があり、前記固着部分が、幅方向外側から内側に段階的に取り外し可能な紙おむつが記載されている。
しかし、特許文献１に記載のものでは、微妙な調整が求まられた場合、片側だけの調整をして対応しようとすると、製品は脇位置がズレ、吸収性能、外観上に不具合が生じる場合があった。さらには、前や後のフィット性が落ちる場合があった。
【０００５】
一方、特許文献２には、胴回り及び脚周りの少なくとも周縁部外面の一部に止着部材が直接取り付けられ、止着部材の接着面は外面と同一方向を向き、外面同士が前記止着部材を介して着脱可能な使い捨ておむつが記載されている。しかし、この使い捨ておむつでは、ウエスト周りや脚周りを縮めるだけで、広げる方向には調節できないものであった。
【特許文献１】特開２００４−２９８４０１号公報
【特許文献２】特開２００３−６２０１１号公報
【発明の開示】
【発明が解決しようとする課題】
【０００６】
従って、本発明の目的は、体形の異なる個々の着装者に対して、違和感を生じさせず、また、吸収性能も維持しながら、微妙なサイズ調節をすることが可能なパンツ型吸収性物品を提供することにある。
【課題を解決するための手段】
【０００７】
本発明は、表面シートと吸収体と裏面シートとを具備し、前身頃の左右両側縁と後身頃の左右両側縁とをそれぞれ接合して左右一対のサイド接合部がパンツ本体両側部に形成されてなるパンツ型吸収性物品であって、前記サイド接合部において、パンツ本体内側にループ形状を形成したループ部材の両端とパンツ本体との第一シールとパンツ本体の側縁同士を接合する第二シールが存在し、前記第二シールは前記第一シールの外側に配置されていることを特徴とするパンツ型吸収性物品により前記目的を達成したものである。
【発明の効果】
【０００８】
本発明のパンツ型吸収性物品は、体形の異なる個々の着装者に対して、違和感を生じさせず、ウエスト側部周辺の当たりを柔らかくし、また、吸収性能も維持しながら、微妙なサイズ調節をすることができる。また、シール強度の異なる３種のシールでサイド接合部において用いることで、ウエスト、レッグ、胴回りの寸法を２段階以上で調整することができる。
【発明を実施するための最良の形態】
【０００９】
以下、本発明の好ましい実施形態を図面を参照して説明する。
以下、本発明をその好ましい実施形態に基づいて図面を参照して説明する。
本発明のパンツ型吸収性物品の一実施形態は、図１に示すような使い捨てパンツ型おむつ１である。図１は、パンツ型おむつ１が装着されたときの当該パンツ型おむつ１の構造を概略的に示す斜視図である。図２は、図１に示すパンツ型おむつ１の内側（内装側）を上にし、展開且つ伸長状態における外形形状説明する平面図である。
【００１０】
図示のように、パンツ型おむつ１の本体は、装着者（図示しない）の体表面に当てられる液透過性の表面シート２と、装着時に外表面となる裏面シート３と、裏面シート３の内側面上に固定されて表面シート２によって覆われている液保持性の吸収体４とを有している。少なくとも裏面シート３を含む前身頃（腹側部）５の領域と後身頃（背側部）６の領域とが、身幅方向の左右両側縁で互いにシールにより接合し、突縁状のサイド接合部８をおむつ本体両側部に形成し、これによって、おむつ本体は、装着者の胴が通されるウエスト開口部９と、装着者の下肢が通される左右１対のレッグ開口部１０とを有するパンツ形状に成形されている。
【００１１】
また、接合によりウエスト開口部９を形成するウエスト部にはギャザーを形成するためのウエスト弾性部材１３が、レッグ開口部１０を形成するレッグ部にはギャザーを形成するためのレッグ弾性部材１４が、それぞれ設けられている。また、おむつ本体の腹側部５と背側部６とにおいて、吸収体４の長手方向両端縁には、ここから外方に延出する一対のウエストフラップと、上記吸収体４の両側縁から幅方向外方に延出する、腹側部と背側部の左右一対のサイドフラップが配置されている。各フラップにはサイド弾性部材１５が配置されている。このため、ウエストフラップおよびサイドフラップは伸縮性を有している。尚、上記表面シート２、裏面シート３、吸収体４及び弾性部材１３、１４、１５の形成材料としては、通常パンツ型使い捨ておむつに用いられるものを特に制限なく用いることができる。
【００１２】
また、図１に示すパンツ型おむつ１では、ループ部材１６が、サイド接合部８のおむつ本体内側（装着者側）にループを形成し、サイド接合部８のシールが直接肌へ接触することを防止している。
【００１３】
次に、図３〜８を参照して、上記のパンツ型おむつ１を用いたサイズ調整について説明する。
図３は、基本の規格に近い体形の装着者が装着する場合のサイズ調整前のおむつ１のサイド接合部８上部の斜視図である。図４は、図３におけるＸ−Ｘ’線拡大断面図である。だだし、説明のため、図３においては、第一シール３１、第二シール３２、第三シール３３の各サイドシールとも外部より確認できるように記載されている。また、図４においては、第一シール３１を第二シール３２と同一断面に示し、また、各シールの厚さもおむつ本体の前身頃２１および後身頃２２の厚さよりも厚く記載している。
図３および４に示されるように、この状態のおむつでは、ループ部材１６のループが、各サイドシールが直接装着者の肌へ接触することを防止し、ウエスト側部周辺の当たりを柔らかくしている。また、ループはおむつ本体の内側にあるので、ループが衣類等に引っかかったりすることはない。
【００１４】
第一シール３１は前身頃２１または後身頃２２とループ部材１６とを固定する。第二シール３２は前身頃２１と後身頃２２とを固定する。第二シール３２は第一シール３１の外側に配置されている。また、シール強度（接着強度）は、第一シール３１が第二シール３２より高くすることが好ましい。このような構成することで、第一シール３１は剥がれないが第二シール３２は剥がれる強度で前後身頃を引っ張ることで第二シール３２のみが剥がれ、サイズを広げることができる。
【００１５】
パンツ型おむつ１では、図示されるように、ループ部材１６の両端部を接着する第三シール３３が設けることが好ましい。第三シール３３を設ける場合には、そのシール強度は第二シール３２のシール強度よりも低いものとする。すなわち、シール強度は
第一シール＞第二シール＞第三シール
の関係式を満たすことが好ましい。
【００１６】
第一シール３１、第二シール３２、第三シール３３とも、接着強度は、装着中には容易に剥がれない強度であることが好ましく、２．５Ｎ／ｃｍ以上であることが好ましい。
また、第二シール３２および第三シール３３の接着強度は、通常の人の手の力で剥がせる強度であることが好ましく、３．２〜１３Ｎ／ｃｍ以上であることが好ましい。
第一シール３１、第二シール３２、第三シール３３のシール方法としては、熱融着シール、超音波シールが好ましい。
【００１７】
具体的には、第一シール３１のシール強度は７〜１３Ｎ／ｃｍであることが好ましく、７〜１０Ｎ／ｃｍであることがさらに好ましい。
第二シール３２のシール強度は４〜８Ｎ／ｃｍであることが好ましく、４〜６Ｎ／ｃｍであることがさらに好ましい。
第三シール３３のシール強度は２．５〜６Ｎ／ｃｍであることが好ましく、３〜４Ｎ／ｃｍであることがさらに好ましい。
上記のようなシール強度の相違は、例えば、シールパターンやシールされる素材により調整することができる。具体的には、シール幅を変えることや、溶融成分を多めにした材（不織布）や溶融温度の違う材を用いることにより調整することができる。
【００１８】
また、前身頃２１と後身頃２２には、裏面シートあるいはサイドフラップを構成する内層不織布と外装不織布を接合する粘着材３４が少なくとも第一シール３１位置にまで入っている。このことにより、シールによる接着強度の他に粘着材の圧着による接着強度が加わり第一シールの接着強度が高く設定することができる。
【００１９】
ループ部材１６として、引張強度が３Ｎ／ｃｍ以上の不織布を用いることが好ましく、７Ｎ／ｃｍ以上の不織布を用いることがさらに好ましい。また、ループ部材１６として、伸縮材を用いることも好ましい。ループ部材１６が上記のような材料を用いてなるものであることで、フィット性がアップし、ズレ落ちの防止とおむつ本体の伸縮物性の補助を行うことができる。
上記のような物性を有するループ部材１６としては、それに限定されるものではないが、例えば、伸縮性不織布（例えば、ウレタン系不織布、巻縮性繊維不織布）、伸縮性フィルム（例えば、ウレタン系フィルム、オレフィン系エラストマーフィルム）などが挙げられる。
【００２０】
また、ループ部材１６には、ルール形状内でおむつの縦方向に、例えばミシン目などの破断可能な手段を設けても良い。ループに破断可能な手段が設けてあると、おむつ使用後に、当該破断可能な手段を引き裂くことにより、容易におむつを装着者から取り外し、廃棄することができる。
【００２１】
図５は、図３に示す状態から、前身頃２１および後身頃２２を第三シール３３のシール強度以上であって、第二シール３２のシール強度未満の力で矢印方向に引っ張って第三シール３３を剥がし、図３における装着者よりもやや体格の大きな装着者に対してフィットするように第一段階のサイズ調整を行ったおむつ１のサイド接合部８上部の斜視図である。図６は、図５におけるＸ−Ｘ’線拡大断面図である。また、図５、６に示す符号は図３、４におけるものと同様である。
この状態では、ループ部材１６のループがサイドシールの直接装着者の肌への接触を防止し、ウエスト側部周辺の当たりを柔らかくしている。また、図３に示す初期状態からサイズを少し広げて、サイズ適合を図るとともに、サイズの広げすぎでズレ落ちすることも防止している。
【００２２】
図７は、図５に示す状態から、前身頃２１および後身頃２２を第二シール３２のシール強度以上であって、第一シール３１のシール強度未満の力で矢印方向に引っ張って第二シール３２を剥がし、図３における装着者よりもやや体格の大きな装着者に対してフィットするように第二段階のサイズ調整を行ったおむつ１のサイド接合部８上部の斜視図である。図８は、図７におけるＸ−Ｘ’線拡大断面図である。また、図７、８に示す符号は図３、４におけるものと同様である。
図７および８に示されるように、上記の第一調整段階からさらにサイズを広げ、初期状態からサイズをかなり大きく広げて、サイズ適合性を図るものある。
【００２３】
図３〜８に示す２段階のサイズ調整は、おむつ全体において一様に行ってもよいが、より適切にフィットするように、左右のサイド接合部でサイズ調整の段階を変えても良い。また、ウエスト、レッグ、胴回りのそれぞれにおいて、サイズ調整の段階を変えることも可能である。
【００２４】
また、第二シール３２や第三シール３３において、さらに２段階以上のシール幅を設けることなどにより、シール内に強接着領域と、軽接着領域を設け、さらに細かいサイズ調整を行っても良い。
【００２５】
尚、本発明は、上述の実施態様に限定されるものではなく、本発明の趣旨を逸脱しない範囲で種々変更が可能である。
【００２６】
本発明のパンツ型吸収性物品は、パンツ型おむつ以外の、その他のパンツ型吸収性物品、例えばショーツ型ナプキン等であってもよい。
【図面の簡単な説明】
【００２７】
【図１】本発明の好ましい一実施形態としてのパンツ型おむつの構造を概略的に示す斜視図である。
【図２】図１のパンツ型おむつの展開且つ伸長状態における外形形状を説明するための平面図である。
【図３】サイズ調整前のおむつのサイド接合部上部の斜視図である。
【図４】図３におけるＸ−Ｘ’線拡大断面図である。
【図５】第一段階のサイズ調整を行ったおむつのサイド接合部上部の斜視図である。
【図６】図５におけるＸ−Ｘ’線拡大断面図である。
【図７】第二段階のサイズ調整を行ったおむつのサイド接合部上部の斜視図である。
【図８】図７におけるＸ−Ｘ’線拡大断面図である。
【符号の説明】
【００２８】
１  パンツ型おむつ
２  表面シート
３  裏面シート
４  吸収体
５  腹側部（前身頃）
６  背側部（後身頃）
８  サイド接合部
９  ウエスト開口部
１０  レッグ開口部
１３  ウエスト弾性部材
１４  レッグ弾性部材
１５  サイド弾性部材
１６  ループ部材
２１  おむつ本体の前身頃
２２  おむつ本体の後身頃
３１  第一シール
３２  第二シール
３３  第三シール
３４  粘着材
【図１】
2008289611.tif 000003
【図２】
2008289611.tif 000004
【図３】
2008289611.tif 000005
【図４】
2008289611.tif 000006
【図５】
2008289611.tif 000007
【図６】
2008289611.tif 000008
【図７】
2008289611.tif 000009
【図８】
2008289611.tif 000010